(57)【要約】      （修正有）【課題】ジャム用紙を容易に取り除くことができる用紙加工装置を提供すること。【解決手段】用紙を搬送しながら用紙を裁断する用紙加工装置に於いて、用紙を1枚ずつ搬送する搬送手段、用紙を搬送方向に裁断する裁断手段、搬送手段及び裁断手段を駆動する駆動手段、裁断手段を搬送方向に対して直交方向に移動させる移動手段、裁断手段を裁断位置に移動させるよう上記移動手段を制御する移動制御手段を備えており、２個の裁断手段１１、１２の、搬送経路より上の部分すなわち上体１１１、１２１、を貫通する軸が、１本の第１スライド軸３１のみであること又は１本も無いことを特徴としている。【選択図】図２
2007320752.tif 000002
【特許請求の範囲】
【請求項１】
用紙を搬送しながら用紙を少なくとも裁断する用紙加工装置において、
用紙を１枚ずつ搬送する搬送手段と、
搬送手段で構成された搬送経路の途中に設けられ、用紙を搬送方向に裁断する、裁断手段と、
搬送手段及び裁断手段を駆動する駆動手段と、
裁断手段を、搬送方向に対する直交方向に移動させる、移動手段と、
裁断手段を、裁断位置に移動させるよう、上記移動手段を制御する、移動制御手段と、を備えており、
裁断手段が、上の回転刃を保有する上体と下の回転刃を保有する下体とを一体に有し、２つの回転刃を上下から搬送経路上にて擦り合わせて裁断を行うようになっており、
裁断手段が、搬送方向に対する直交方向に２個並んで設けられており、
２個の裁断手段の上体には、１本のスライド軸が貫通しており、
一方の裁断手段の下体には、当該裁断手段をスライド軸に沿わせて移動させるための１本の第１ねじ軸が螺合して貫通しており、
他方の裁断手段の下体には、当該裁断手段をスライド軸に沿わせて移動させるための１本の第２ねじ軸が螺合して貫通しており、
２個の裁断手段の下体には、下の回転刃を回転させるための１本の回転軸が貫通しており、
上の回転刃は、下の回転刃の回転に従動して回転するようになっていることを特徴とする用紙加工装置。
【請求項２】
用紙を搬送しながら用紙を少なくとも裁断する用紙加工装置において、
用紙を１枚ずつ搬送する搬送手段と、
搬送手段で構成された搬送経路の途中に設けられ、用紙を搬送方向に裁断する、裁断手段と、
搬送手段及び裁断手段を駆動する駆動手段と、
裁断手段を、搬送方向に対する直交方向に移動させる、移動手段と、
裁断手段を、裁断位置に移動させるよう、上記移動手段を制御する、移動制御手段と、を備えており、
裁断手段が、上の回転刃を保有する上体と下の回転刃を保有する下体とを一体に有し、２つの回転刃を上下から搬送経路上にて擦り合わせて裁断を行うようになっており、
裁断手段が、搬送方向に対する直交方向に２個並んで設けられており、
２個の裁断手段の下体には、１本のスライド軸が貫通しており、
一方の裁断手段の下体には、当該裁断手段をスライド軸に沿わせて移動させるための１本の第１ねじ軸が螺合して貫通しており、
他方の裁断手段の下体には、当該裁断手段をスライド軸に沿わせて移動させるための１本の第２ねじ軸が螺合して貫通しており、
２個の裁断手段の下体には、下の回転刃を回転させるための１本の回転軸が貫通しており、
上の回転刃は、下の回転刃の回転に従動して回転するようになっていることを特徴とする用紙加工装置。
【発明の詳細な説明】
【技術分野】
【０００１】
本発明は、搬送方向に対する直交方向に２個並んで設けられた裁断手段を備えている用紙加工装置に関するものである。
【背景技術】
【０００２】
特許文献１や特許文献２には、裁断手段を図７に示すように備えている用紙加工装置１が、示されている。図７は用紙加工装置１の装置本体９０内の一部を示す上方斜視図である。図７においては、２個の裁断装置部１０が、上下一対の搬送ローラ２１を間に置いて、搬送方向（矢印Ｙ方向）の上流と下流に配設されている。裁断装置部１０は、２個の裁断手段１１、１２を搬送方向に対する直交方向にスライド軸に沿って移動可能に有している。図８は図７のVIII−VIII断面矢視図である。
【０００３】
裁断手段１１は、上の回転刃を保有する上体１１１と下の回転刃を保有する下体１１２とを一体に有し、２つの回転刃を上下から搬送経路２０上にて擦り合わせて裁断を行うようになっている。裁断手段１２も、裁断手段１１と同様であり、上体１２１と下体１２２とを有している。そして、裁断装置部１０において、裁断手段１１、１２の上体１１１、１２１には、１本の第１スライド軸３１が貫通しており、裁断手段１１、１２の下体１１２、１２２には、１本の第２スライド軸３２が貫通しており、裁断手段１１の上体には、裁断手段１１を第１及び第２スライド軸３１、３２に沿わせて移動させるための１本の第１ねじ軸４１が貫通しており、裁断手段１２の上体には、裁断手段１２を第１及び第２スライド軸３１、３２に沿わせて移動させるための１本の第２ねじ軸４２が貫通しており、裁断手段１１、１２の上体には、上の回転刃を回転させるための１本の回転軸５１が貫通している。なお、裁断手段１１、１２において、下の回転刃は上の回転刃の回転に従動して回転するようになっている。
【特許文献１】特開２００１−２３２７００号公報
【特許文献２】特開２００５−２３９３０７号公報
【発明の開示】
【発明が解決しようとする課題】
【０００４】
上述のように、及び、図７及び図８から明らかなように、裁断手段１１、１２の搬送経路２０より上には、４本の軸、すなわち、第１スライド軸３１、第１ねじ軸４１、第２ねじ軸４２、及び回転軸５１が、配置されている。このため、搬送経路２０において、用紙が詰まった場合すなわちジャムが発生した場合に、上方から手を差し込んでジャム用紙を取り除こうとすると、上記の４本の軸が邪魔となり、手を差し込むことのできるスペースは図８において破線で示すＳ３程度となり、ジャム用紙を取り除くのが困難であった。
【０００５】
本発明は、ジャム用紙を容易に取り除くことができる用紙加工装置を提供することを目的とする。
【課題を解決するための手段】
【０００６】
請求項１記載の発明は、用紙を搬送しながら用紙を少なくとも裁断する用紙加工装置において、用紙を１枚ずつ搬送する搬送手段と、搬送手段で構成された搬送経路の途中に設けられ、用紙を搬送方向に裁断する、裁断手段と、搬送手段及び裁断手段を駆動する駆動手段と、裁断手段を、搬送方向に対する直交方向に移動させる、移動手段と、裁断手段を、裁断位置に移動させるよう、上記移動手段を制御する、移動制御手段と、を備えており、裁断手段が、上の回転刃を保有する上体と下の回転刃を保有する下体とを一体に有し、２つの回転刃を上下から搬送経路上にて擦り合わせて裁断を行うようになっており、裁断手段が、搬送方向に対する直交方向に２個並んで設けられており、２個の裁断手段の上体には、１本のスライド軸が貫通しており、一方の裁断手段の下体には、当該裁断手段をスライド軸に沿わせて移動させるための１本の第１ねじ軸が螺合して貫通しており、他方の裁断手段の下体には、当該裁断手段をスライド軸に沿わせて移動させるための１本の第２ねじ軸が螺合して貫通しており、２個の裁断手段の下体には、下の回転刃を回転させるための１本の回転軸が貫通しており、上の回転刃は、下の回転刃の回転に従動して回転するようになっていることを特徴としている。
【０００７】
請求項２記載の発明は、用紙を搬送しながら用紙を少なくとも裁断する用紙加工装置において、用紙を１枚ずつ搬送する搬送手段と、搬送手段で構成された搬送経路の途中に設けられ、用紙を搬送方向に裁断する、裁断手段と、搬送手段及び裁断手段を駆動する駆動手段と、裁断手段を、搬送方向に対する直交方向に移動させる、移動手段と、裁断手段を、裁断位置に移動させるよう、上記移動手段を制御する、移動制御手段と、を備えており、裁断手段が、上の回転刃を保有する上体と下の回転刃を保有する下体とを一体に有し、２つの回転刃を上下から搬送経路上にて擦り合わせて裁断を行うようになっており、裁断手段が、搬送方向に対する直交方向に２個並んで設けられており、２個の裁断手段の下体には、１本のスライド軸が貫通しており、一方の裁断手段の下体には、当該裁断手段をスライド軸に沿わせて移動させるための１本の第１ねじ軸が螺合して貫通しており、他方の裁断手段の下体には、当該裁断手段をスライド軸に沿わせて移動させるための１本の第２ねじ軸が螺合して貫通しており、２個の裁断手段の下体には、下の回転刃を回転させるための１本の回転軸が貫通しており、上の回転刃は、下の回転刃の回転に従動して回転するようになっていることを特徴としている。
【発明の効果】
【０００８】
請求項１記載の発明によれば、ジャム用紙を取り除くために上方から手を差し込む際に、１本のスライド軸を避けるだけでよいので、手を差し込みやすくなり、よって、ジャム用紙を容易に取り除くことができる。
【０００９】
請求項２記載の発明によれば、ジャム用紙を取り除くために上方から手を差し込む際に、邪魔になる軸が１本も無いので、手を差し込みやすくなり、よって、ジャム用紙をより容易に取り除くことができる。
【発明を実施するための最良の形態】
【００１０】
（第１実施形態）
図１は本実施形態の用紙加工装置１の全体を示す模式縦断面図である。用紙加工装置１は、装置本体９０の両端に、給紙トレイからなる給紙部９１と排紙トレイからなる排紙部９２とを備えている。給紙部９１から排紙部９２へは、多数個の上下一対の搬送ローラ２１からなる搬送手段２によって搬送経路２０が構成されている。そして、搬送経路２０には、少なくとも、第１裁断装置部１０Ａ、第２裁断装置部１０Ｂ、及び第３裁断装置部１０Ｃが、搬送方向（矢印Ｙ方向）に並んで、且つ、間に上下一対の搬送ローラ２１を置いて、設けられている。これらの裁断装置部は、全て装置本体９０に支持されており、装置本体９０に対して固定して設けられてもよいが、装置本体９０に対してユニットとして着脱自在に設けられてもよい。また、これらの裁断装置部及び搬送手段２０には、駆動手段（図示せず）が連結されている。
【００１１】
また、用紙加工装置１は、装置全体の作動を制御する制御手段６を装置本体９０内に備えている。制御手段６は、操作パネル（図示せず）に接続したＣＰＵを有している。制御手段６は、例えば、後述する移動制御手段としての制御も行う。更に、用紙加工装置１は、用紙の裁断によって発生する裁ち屑を収容するためのゴミ箱８１を装置本体９０内の底部に有している。
【００１２】
図２は図１の装置の内部を示す上方斜視部分図である。図２では、第１裁断装置部１０Ａから第２裁断装置部１０Ｂに至る部分が示されている。なお、第２裁断装置部１０Ｂから第３裁断装置部１０Ｃに至る部分も、図２と全く同じである。第１裁断装置部１０Ａは、２個の裁断手段１１、１２を搬送方向に対する直交方向にスライド軸に沿わせて移動可能に有している。図３は図２のIII−III断面矢視図である。裁断手段１１は、上の回転刃を保有する上体１１１と下の回転刃を保有する下体１１２とを一体に有し、２つの回転刃を上下から搬送経路２０上にて擦り合わせて裁断を行うようになっている。裁断手段１２も、裁断手段１１と同様であり、上体１２１と下体１２２とを有している。
【００１３】
そして、第１裁断装置部１０Ａにおいて、裁断手段１１、１２の上体１１１、１２１には、１本の第１スライド軸３１が貫通しており、裁断手段１１、１２の下体１１２、１２２には、１本の第２スライド軸３２が貫通しており、裁断手段１１の下体１１２には、裁断手段１１を第１及び第２スライド軸３１、３２に沿わせて移動させるための１本の第１ねじ軸４１が貫通しており、裁断手段１２の下体１２２には、裁断手段１２を第１及び第２スライド軸３１、３２に沿わせて移動させるための１本の第２ねじ軸４２が貫通しており、裁断手段１１、１２の下体１１２、１２２には、下の回転刃を回転させるための１本の回転軸５１が貫通している。なお、裁断手段１１、１２において、上の回転刃は下の回転刃の回転に従動して回転するようになっている。
【００１４】
なお、裁断手段１１、１２の上体１１１、１２１は、第１スライド軸３１に対して摺動可能となっており、裁断手段１１、１２の下体１１２、１２２は、第２スライド軸３２に対して摺動可能となっている。
【００１５】
また、第１ねじ軸４１は、裁断手段１１の下体１１２の螺合部１１３を、螺合して貫通しており、第２ねじ軸４２は、裁断手段１２の下体１２２の螺合部（図示せず）を、螺合して貫通している。したがって、裁断手段１１は、第１ねじ軸４１を回転させることによって、第１ねじ軸４１上を移動するようになっており、裁断手段１２は、第２ねじ軸４２を回転させることによって、第２ねじ軸４２上を移動するようになっている。すなわち、第１ねじ軸４１及び第２ねじ軸４２は、裁断手段１１、１２の移動手段を構成している。
【００１６】
また、第１ねじ軸４１及び第２ねじ軸４２は、装置本体９０内の側板９１の外側にて、駆動手段（図示せず）に連結されている。そして、制御手段６による移動制御手段は、裁断手段１１、１２をそれぞれの裁断位置へ移動させるために、当該駆動手段を制御して第１ねじ軸４１及び第２ねじ軸４２の回転量を制御することによって、裁断手段１１、１２の移動距離を制御するようになっている。
【００１７】
また、回転軸５１も、装置本体９０内の側板９１の外側にて、駆動手段（図示せず）に連結されている。そして、制御手段６は、当該駆動手段を制御して回転軸５１をオンオフ制御して裁断手段１１、１２による裁断動作をオンオフ制御するようになっている。
【００１８】
第２裁断装置部１０Ｂ及び第３裁断装置部１０Ｃも、第１裁断装置部１０Ａと同じ構成を有している。
【００１９】
次に、上記構成の用紙加工装置１の作動について、図４を参照しながら説明する。図４は用紙１００の加工の一例を示す平面模式図である。図４中の矢印Ｙは搬送方向を示している。なお、用紙１００には、主印刷部１０１と共に位置マーク１０２及びバーコード１０３が印刷されている。
【００２０】
まず、給紙部１１に載置された用紙１００の束から、用紙１００が一枚ずつ搬送経路２０に送り出される。そして、情報読取手段（図示せず）へ入る。情報読取手段は、ＣＣＤセンサーによって、用紙１００の位置マーク１０２及びバーコード１０３を読む。この読取情報は、制御手段６に送られる。制御手段６は、該読取情報を記憶し、それに基づいて、後続の各手段を制御する。例えば、バーコード１０３で示された加工情報が、用紙１００に対して、図４に示すような実線Ａ、Ｂ、Ｃに沿った裁断処理を施すことを内容とするものである場合、３個の裁断装置部１０Ａ、１０Ｂ、１０Ｃは次のように作動する。
【００２１】
情報読取手段を通過した用紙１００は、第１裁断装置部１０Ａへ入る。第１裁断装置部１０Ａは、次のように作動する。即ち、制御手段６によってオン制御されるとともに、制御手段６による移動制御手段によって、裁断手段１１、１２がそれぞれ裁断位置に移動するよう制御される。即ち、制御手段６による移動制御手段によって、駆動手段が所定時間だけ作動して第１ねじ軸４１が回転され、裁断手段１１が一方の実線Ａの位置に移動されるとともに、駆動手段が所定時間だけ作動して第２ねじ軸４２が回転され、裁断手段１２が他方の実線Ａの位置に移動される。そして、制御手段６によって、駆動手段が作動して回転軸５１が回転され、裁断手段１１、１２の下の回転刃が回転するとともに上の回転刃も従動して回転し、裁断手段１１、１２の位置で用紙１００が搬送方向に裁断される。したがって、用紙１００は、第１裁断装置部１０Ａにより、実線Ａに沿って即ち搬送方向に、裁断され、第２裁断装置部１０Ｂへ搬送される。
【００２２】
第２裁断装置部１０Ｂも、第１裁断装置部１０Ａと同様に作動する。但し、第２裁断装置部１０Ｂでは、裁断手段１１が一方の実線Ｂの位置に移動され、裁断手段１２が他方の実線Ｂの位置に移動される。したがって、用紙１００は、第２裁断装置部１０Ｂにより、実線Ｂに沿って即ち搬送方向に、裁断され、第３裁断装置部１０Ｃへ搬送される。
【００２３】
第３裁断装置部１０Ｃも、第１裁断装置部１０Ａと同様に作動する。但し、第３裁断装置部１０Ｃでは、裁断手段１１が一方の実線Ｃの位置に移動され、裁断手段１２が他方の実線Ｃの位置に移動される。したがって、用紙１００は、第３裁断装置部１０Ｃにより、実線Ｃに沿って即ち搬送方向に、裁断され、次段へ搬送される。
【００２４】
こうして、用紙１００は、実線Ａ、Ｂ、Ｃに沿って順次裁断される。
【００２５】
ところで、上記構成の用紙加工装置１では、上記のような作動中において、用紙１００が、いずれかの裁断装置部を通過する際やいずれかの搬送ローラ２１を通過する際に、搬送経路２０において詰まってしまう場合がある。すなわち、用紙１００のジャムが発生する場合がある。このような場合は、通常、装置本体９０の上カバーを開き、用紙１００の詰まっている箇所に上方から手を差し込んで、ジャム用紙を取り除く。このとき、上記構成の用紙加工装置１においては、各裁断装置部における搬送経路２０より上に存在する軸が、図３から明らかなように、第１スライド軸３１だけであるので、上方から手を差し込む際に第１スライド軸３１を避けるだけでよい。したがって、上記構成の用紙加工装置１によれば、手を差し込むことのできるスペースが図３において破線で示すＳ１のようになり、すなわち、広くなり、手を差し込みやすくなり、よって、ジャム用紙を容易に取り除くことができる。
【００２６】
（第２実施形態）
図５は第２実施形態の用紙加工装置の内部を示す上方斜視部分図であり、図６は図５のVI−VI断面矢視図である。本実施形態は、第１スライド軸３１を設けていない点のみが第１実施形態と異なっている。すなわち、本実施形態で設けられたスライド軸は、裁断手段１１、１２の下体１１２、１２２を貫通する１本の第２スライド軸３２のみであり、裁断手段１１、１２の上体１１１、１２１にはスライド軸は貫通していない。したがって、裁断手段１１、１２の上体１１１、１２１には、軸が１本も貫通していない。
【００２７】
本実施形態の用紙加工装置１においては、各裁断装置部における搬送経路２０より上に存在する軸が、図６から明らかなように、１本も無いので、上方から手を差し込むことのできるスペースが図６において破線で示すＳ２のようになり、すなわち、第１実施形態よりも更に広くなり、手を差し込みやすくなり、よって、ジャム用紙をより容易に取り除くことができる。
【００２８】
（別の実施形態）
第１実施形態の用紙加工装置１においては、裁断手段１１、１２が第１ねじ軸４１及び第２ねじ軸４２によって下部で支持されているので、第１スライド軸３１があれば、第２スライド軸３２は必ずしも必要ではない。
【産業上の利用可能性】
【００２９】
本発明の用紙加工装置は、ジャム用紙を容易に手で取り除くことができるようになっているので、産業上の利用価値が大である。
【図面の簡単な説明】
【００３０】
【図１】第１実施形態の用紙加工装置の全体を示す模式縦断面図である。
【図２】図１の装置の内部を示す上方斜視部分図である。
【図３】図２のIII−III断面矢視図である。
【図４】用紙の加工例を示す平面模式図である。
【図５】第２実施形態の用紙加工装置の内部を示す上方斜視部分図である。
【図６】図５のVI−VI断面矢視図である。
【図７】従来の用紙加工装置の内部を示す上方斜視部分図である。
【図８】図７のVIII−VIII断面矢視図である。
【符号の説明】
【００３１】
１  用紙加工装置  １１、１２  裁断手段  １１１、１２１  上体  １１２、１２２  下体  ２  搬送手段  ２０  搬送経路  ３１  第１スライド軸  ４１  第１ねじ軸  ４２  第２ねじ軸  ５１  回転軸
【図１】
2007320752.tif 000003
【図２】
2007320752.tif 000004
【図３】
2007320752.tif 000005
【図４】
2007320752.tif 000006
【図５】
2007320752.tif 000007
【図６】
2007320752.tif 000008
【図７】
2007320752.tif 000009
【図８】
2007320752.tif 000010